(57)【要約】【課題】ねじ軸とねじ軸スリーブとの嵌め合いが何時でも隙間レス状態に保持されるジャッキを提供する。【解決手段】その内部にチューブ形状を呈するねじ軸スリーブ部が設けてあり、前記ねじ軸スリーブ部の一端の内面に内螺旋段が設けてある台座を含み、前記ねじ軸スリーブ部は、第一合せ具と、弾性素子と、第二合せ具とを含むジャッキにおいて、前記第一合せ具は、ねじ穴が軸方向に設けられ外面に外螺旋段が設けてあるブッシュ部を含み、前記ブッシュ部の外螺旋段が前記ねじ軸スリーブ部の内螺旋段と螺合し、前記弾性素子は、前記ねじ軸スリーブ部の内部に設けられ、その一端の端縁が前記ブッシュ部に当接し、前記第二合せ具は、ねじ穴が持つ円柱であり、前記ねじ軸スリーブ部の内部に設けられ、その一端の端縁が前記弾性素子の自由端に当接することを特徴とするジャッキ。【選択図】図５
0003128420.tif 000002
【実用新案登録請求の範囲】
【請求項１】
その内部にチューブ形状を呈するねじ軸スリーブ部が設けてあり、前記ねじ軸スリーブ部の一端の内面に内螺旋段が設けてある台座を含み、前記ねじ軸スリーブ部は、第一合せ具と、弾性素子と、第二合せ具とを含むジャッキにおいて、
前記第一合せ具は、ねじ穴が軸方向に設けられ外面に外螺旋段が設けてあるブッシュ部を含み、前記ブッシュ部の外螺旋段が前記ねじ軸スリーブ部の内螺旋段と螺合し、
前記弾性素子は、前記ねじ軸スリーブ部の内部に設けられ、その一端の端縁が前記ブッシュ部に当接し、
前記第二合せ具は、ねじ穴が持つ円柱であり、前記ねじ軸スリーブ部の内部に設けられ、その一端の端縁が前記弾性素子の自由端に当接することを特徴とする、
ジャッキ。
【請求項２】
前記ねじ軸スリーブ部の大径部の両端には、内径が同様であり外径が異なった端部がそれぞれ延設してあり、前記二つの端部と大径部との連接部には鍵溝がそれぞれ軸方向と平行するように設けられ、前記ねじ軸スリーブ部の一端部の内面に内螺旋段が設けてあり、他端部の内部に平滑段が設けてあり、
第一合せ具は、前記ねじ軸スリーブ部の一端の鍵溝に応じて第一溝部が開設してあり、長さが一端の鍵溝よりも小さい鍵を前記鍵溝から前記第一溝部に装入し、
第二合せ具は、前記ねじ軸スリーブ部の他端の鍵溝に応じて第二溝部が開設してあり、長さが他端の鍵溝よりも小さい鍵を前記鍵溝から前記第二溝部に装入することを特徴とする、請求項１に記載のジャッキ。
【請求項３】
前記ブッシュ部の一端には当接面を持つ大径の凸縁が形成され、また、前記ブッシュ部の中段には外螺旋段が外面に形成され、前記当接面が前記ねじ軸スリーブ部の端部の端面に当接するように、前記ブッシュ部の中段の前記外螺旋段が前記ねじ軸スリーブ部の内螺旋段に螺合され、また、前記ブッシュ部の他端の端面には環状突起が軸方向に沿って外側に突出し、前記環状突起の外径が前記ブッシュ部の中段よりも小さく、前記環状突起の内径が前記ブッシュ部のねじ穴のねじ谷の直径よりも大きいことを特徴とする、請求項１に記載のジャッキ。
【考案の詳細な説明】
【技術分野】
【０００１】
本考案は、ジャッキに係り、特に、ねじ軸とねじ軸スリーブとの嵌め合いを隙間レスに達することができるジャッキに関するものである。
【背景技術】
【０００２】
目下、ジャッキは、機械伝動の分野（例えば工作機械や産業機械など）に広汎に使用されており、それは、主に、水平方向の回転運動を上下方向の昇降運動に変換し、加工を便利にするものである。
【０００３】
本考案の出願者の提案した「隙間補償機能付きジャッキ」は、頂面から下方へ収容空間が凹設してあるハウジングと、前記収容空間に水平方向に貫入し、前記収容空間内に位置する周面に螺旋が設けてある伝動部を有する入力軸と、前記収容空間に鉛直方向に貫入し、中央にねじ軸をねじ込むためのねじ穴が開設してあり、その外周に前記入力軸の伝動部と噛み合うタービン部が設けてある伝動部材とを含む。
【０００４】
入力軸がモータに駆動される場合には、入力軸は伝動部材を回転し、前記伝動部材のねじ穴に組み付けられるねじ軸が前記入力軸の回転方向によって昇降するようになる。このようなジャッキは、操作が極めて便利であるので、使用が広汎になっている。
【考案の開示】
【考案が解決しようとする課題】
【０００５】
しかしながら、伝動部材とねじ軸とを長期間に使用したと、磨耗が発生して隙間が大きくなり、ジャッキを調整することよって伝動部材とねじ軸との特定の接触点の隙間を縮小することができるが、伝動部材とねじ軸との各接触点の隙間が異なり、だから、運転中に伝動部材とねじ軸との嵌め合いには誤差が発生してしまう欠点があった。
【課題を解決するための手段】
【０００６】
上記欠点を解決するためになさた本願の考案は、その内部にチューブ形状を呈するねじ軸スリーブ部が設けてあり、前記ねじ軸スリーブ部の一端の内面に内螺旋段が設けてある台座を含み、前記ねじ軸スリーブ部は、第一合せ具と、弾性素子と、第二合せ具とを含むジャッキにおいて、前記第一合せ具は、ねじ穴が軸方向に設けられ外面に外螺旋段が設けてあるブッシュ部を含み、前記ブッシュ部の外螺旋段が前記ねじ軸スリーブ部の内螺旋段と螺合し、前記弾性素子は、前記ねじ軸スリーブ部の内部に設けられ、その一端の端縁が前記ブッシュ部に当接し、前記第二合せ具は、ねじ穴が持つ円柱であり、前記ねじ軸スリーブ部の内部に設けられ、その一端の端縁が前記弾性素子の自由端に当接することを特徴とするジャッキであることを要旨としている。
【０００７】
本願の考案では、前記ねじ軸スリーブ部の大径部の両端には、内径が同様であり外径が異なった端部がそれぞれ延設してあり、前記二つの端部と大径部との連接部には鍵溝がそれぞれ軸方向と平行するように設けられ、前記ねじ軸スリーブ部の一端部の内面に内螺旋段が設けてあり、他端部の内部に平滑段が設けてあり、第一合せ具は、前記ねじ軸スリーブ部の一端の鍵溝に応じて第一溝部が開設してあり、長さが一端の鍵溝よりも小さい鍵を前記鍵溝から前記第一溝部に装入し、第二合せ具は、前記ねじ軸スリーブ部の他端の鍵溝に応じて第二溝部が開設してあり、長さが他端の鍵溝よりも小さい鍵を前記鍵溝から前記第二溝部に装入することを特徴とする請求項１に記載のジャッキであることを要旨としている。
【０００８】
本願の考案では、前記ブッシュ部の一端には当接面を持つ大径の凸縁が形成され、また、前記ブッシュ部の中段には外螺旋段が外面に形成され、前記当接面が前記ねじ軸スリーブ部の端部の端面に当接するように、前記ブッシュ部の中段の前記外螺旋段が前記ねじ軸スリーブ部の内螺旋段に螺合され、また、前記ブッシュ部の他端の端面には環状突起が軸方向に沿って外側に突出し、前記環状突起の外径が前記ブッシュ部の中段よりも小さく、前記環状突起の内径が前記ブッシュ部のねじ穴のねじ谷の直径よりも大きいことを特徴とする請求項１に記載のジャッキであることを要旨としている。
【考案の効果】
【０００９】
本考案のジャッキによれば、ねじ軸と第一合せ具と第二合せ具とは精密な嵌め合いを形成し、且つ何時でも隙間をゼロに調整することができる効果を有する。
【考案を実施するための最良の形態】
【００１０】
以下、添付図面を参照して本考案の好適な実施の形態を詳細に説明する。
【００１１】
まず、図１乃至図５を参照する。本考案のジャッキは、一つの台座１０を有し、前記台座１０の頂面から底面まで収容空間１０１が設けられ、前記収容空間１０１内にねじ軸スリーブ部１１が鉛直に枢設され、ねじ軸１２が前記収容空間１０１の開口から前記ねじ軸スリーブ部１１にねじ込むことができ、前記ねじ軸スリーブ部１１には第一傘歯車１３１を持つ傘歯車部材１３が嵌め設けてあり、また、前記台座１０の少なくとも一つの側面には一つの開口１０２が内側へ凹設してあり、前記開口１０２に連動軸１４が貫入してあり、前記連動軸１４の貫入部には、傘歯車部材１３の第一傘歯車１３１と噛合う第二傘歯車１４１が設けてあり、これにより、図５に示すように、ねじ軸スリーブ１１が連動軸１４に駆動されて回転するようになって、ねじ軸スリーブ１１内に螺着されるねじ軸１２が昇降するようになる。
【００１２】
また、前記ねじ軸スリーブ部１１は、図２と図３に示すように、一つの大径部を有し、前記大径部の両端には、内径が同様であり外径が異なった端部がそれぞれ延設してあり、前記二つの端部と大径部との連接部には鍵溝がそれぞれ軸方向と平行するように設けられ、前記ねじ軸スリーブ部１１の一端部の内面に内螺旋段が設けてあり、他端部の内部に平滑段が設けてある。
【００１３】
また、前記ねじ軸スリーブ部１１は、第一合せ具１１１と、弾性素子１１２と、第二合せ具１１３とを含む。
【００１４】
前記第一合せ具１１１は、図３と図４に示すように、銅で作製されてもよく、且つ一つのブッシュ部１１１１を有し、前記ブッシュ部１１１１にはねじ穴が軸方向に沿って設けてあり、前記ブッシュ部１１１１の一端には当接面１１１２を持つ大径の凸縁が形成され、また、前記ブッシュ部１１１１の中段には外螺旋段が外面に形成され、前記当接面１１１２が前記ねじ軸スリーブ部１１の端部の端面に当接するように、前記ブッシュ部１１１１の中段の前記外螺旋段が前記ねじ軸スリーブ部１１の内螺旋段に螺合され、また、前記ブッシュ部１１１１の他端の端面には環状突起１１１３が軸方向に沿って外側に突出し、前記環状突起１１１３の外径が前記ブッシュ部１１１１の中段よりも小さく、前記環状突起１１１３の内径が前記ブッシュ部１１１１のねじ穴のねじ谷の直径よりも大きく、また、前記ねじ軸スリーブ部１１の一端の鍵溝に応じて第一溝部が開設してあり、長さが一端の鍵溝よりも小さい鍵を前記鍵溝から前記第一溝部に装入すると、前記第一合せ具１１１が回動できなくなる。
【００１５】
前記弾性素子１１２は、図３と図４に示すように、本実施例ではバネであり、前記ねじ軸スリーブ部１１内に設置され、その一端が前記環状突起１１１３に嵌め設けて位置決められる。
【００１６】
前記第二合せ具１１３は、図３と図４に示すように、ねじ穴を持つ丸形チューブであり、銅で作製されてもよく、前記ねじ軸スリーブ部１１の内部に設置され、一端の端縁が前記弾性素子１１２の自由端に当接し、その外径が前記ねじ軸スリーブ部１１の内径よりも大きく、これにより、前記第二合せ具１１３と前記ねじ軸スリーブ部１１との嵌め合いが締りばめになり、また、前記第二合せ具１１３は、前記ねじ軸スリーブ部１１の他端の鍵溝に応じて第二溝部が開設してあり、長さが他端の鍵溝よりも小さい鍵を前記鍵溝から前記第二溝部に装入すると、前記第二合せ具１１３が回動できなくなる。
【００１７】
このように、ねじ軸スリーブ部１１の第一合せ具１１１と第二合せ具１１３とにねじ軸１２をねじ込むことができ、また、本考案のねじ軸スリーブ部１１内の弾性素子１１２の弾性力により、第一合せ具１１１と第二合せ具１１３とが付勢されて、第二合せ具１１３が軸方向に移動するようになり、だから、第一合せ具１１１と第二合せ具１１３とのねじ穴の螺旋がねじ軸１２の螺旋との当接がもっと緊密になり、すなわち、図５に示すように、弾性素子１１２が第一合せ具１１１と第二合せ具１１３とを付勢するので、ねじ軸１２と第一合せ具１１１と第二合せ具１１３との嵌め合いは何時でも隙間レス状態に保持される。
【００１８】
また、前記第一合せ具１１１と前記第二合せ具１１３とは、銅で作製されてもよく、銅が軟性材料であり、若干の変形が可能であるので、弾性素子１１２が第一合せ具１１１と第二合せ具１１３とを付勢するときに、第一合せ具１１１と第二合せ具１１３とのねじ穴の螺旋と、ねじ軸１２の螺旋との当接がもっと緊密になり、だから、ねじ軸１２と第一合せ具１１１と第二合せ具１１３との嵌め合いを隙間レス状態に保持することがもっと容易になる。
【００１９】
これにより、ねじ軸スリーブ部１１とねじ軸１２との嵌め合いは、長期間に運転しても、弾性素子１１２により、ねじ軸１２と第一合せ具１１１と第二合せ具１１３との嵌め合いを何時でも隙間レス状態に保持される。
【図面の簡単な説明】
【００２０】
【図１】本考案の実施例の外観斜視図である。
【図２】本考案の分解斜視図である。
【図３】本考案の一部の分解斜視図である。
【図４】本考案の調整状態を示す概略図である。
【図５】本考案の実施例の組合状態の断面図である。
【符号の説明】
【００２１】
１０      台座                       １０１    収容空間
１０２    開口                       １１      ねじ軸スリーブ部
１２      ねじ軸               １３１    第一傘歯車
１３      傘歯車部材                 １４      連動軸
１４１    第二傘歯車                 １１１    第一合せ具
１１１１  ブッシュ部                 １１１２  当接面
１１１３  環状突起                   １１２    弾性素子
１１３    第二合せ具
【図１】
0003128420.tif 000003
【図２】
0003128420.tif 000004
【図３】
0003128420.tif 000005
【図４】
0003128420.tif 000006
【図５】
0003128420.tif 000007